(57)【要約】
【課題】手で圧力を加えておくことなく、折り畳み短冊の閉じた状態を保持できるアコーディオン式折り畳みリーフレットを得る。
【解決手段】カバー付きアコーディオン式折り畳みリーフレット１は、１枚のシート２を縦方向折れ線３に沿って横方向にアコーディオン式に折り畳んだ短冊Ｓを横方向中心折れ線４に沿って上半部分５を手前に下半部分６に重なり合うよう折り畳む。短冊Ｓにおける折り片の下半部分６の最裏側を、折り畳み紙マッチのように２個の横方向折れ線７，８に沿う三つ折りハードカバー９の裏カバー部分９Ａに貼り付ける。ハードカバー９の上側表カバー部分９Ｃの遊端縁中央部に舌状突片１０を設け、下側カバー部分９Ｂに設けたスリット１１に差し込んで閉じた状態を維持できるようにする。このカバー付き折り畳みリーフレット１は、あたかも、おしゃれな紙マッチのような雰囲気をかもしだす。
【選択図】図１
0003100356.tif 000002
【実用新案登録請求の範囲】
【請求項１】
　カバー付きアコーディオン式折り畳みリーフレットにおいて、少なくとも１枚のシートを、横方向に等間隔離れた複数個の縦方向折れ線に沿って横方向にアコーディオン式に折り畳んだ短冊を横方向中心折れ線に沿って上半部分を手前に下半部分に重なり合うよう折り畳み、前記短冊の最裏側折り片の下半部分を、折り畳み紙マッチのように２個の横方向折れ線に沿う三つ折りハードカバーの裏カバー部分に貼り付け、前記ハードカバーは、前記短冊の半部分の輪郭より僅かに大きい外形輪郭を有する前記裏カバー部分と、短冊上半部分の表面の下方部分をカバーする下側表カバー部分と、この下側カバー部分の一部に下端がオーバーラップして前記短冊上半部分の上方部分をカバーする上側表カバー部分とよりなり、前記上側表カバー部分及び下側表カバー部分のうち一方の表カバー部分の遊端縁中央部に舌状突片を設け、この舌状突片を前記他方の表カバー部分に設けたスリットに差し込んで閉じた状態を維持できるようにしたことを特徴とするカバー付きアコーディオン式折り畳みリーフレット。
【請求項２】
　最終的に折り畳んだ状態が、名刺大の大きさになる請求項１記載のカバー付きアコーディオン式折り畳みリーフレット。
【考案の詳細な説明】
【技術分野】
【０００１】
　本考案は、カバー付きアコーディオン式折り畳みリーフレット、特に、最終的に折り畳んだ状態が、名刺大の大きさになるカバー付きアコーディオン式折り畳みリーフレットに関するものである。
【背景技術】
【０００２】
　このようなアコーディオン式折り畳みリーフレットとしてはＺ‐ＣＡＲＤ（登録商標）として、日本ゼッドカード（株）から製造販売されているものがある（例えば、非特許文献１参照）。
【非特許文献１】日本ゼッドカードのＷｅｂサイト、［online/平成１５年９月２日検索］＜http://www.zcard.co.jp/2002/index.html＞
【考案の開示】
【考案が解決しようとする課題】
【０００３】
　このＺ‐ＣＡＲＤ（登録商標）のアコーディオン式折り畳みリーフレットは、折り畳んだ最終状態における短冊の表と裏をハードカバーで被うようにしているが、折り畳んだ紙の弾力で、手で圧力を加えておかないと短冊はＺ字状又はＶ字状に開く傾向がある。
【０００４】
　従って、本考案の目的は、手で圧力を加えておくことなく、折り畳み短冊の閉じた状態を保持できるアコーディオン式折り畳みリーフレットを得るにある。
【課題を解決するための手段】
【０００５】
　この目的を達成するため、本考案アコーディオン式折り畳みリーフレットは、少なくとも１枚のシートを、横方向に等間隔離れた複数個の縦方向折れ線に沿って横方向にアコーディオン式に折り畳んだ短冊を横方向中心折れ線に沿って上半部分を手前に下半部分に重なり合うよう折り畳み、前記短冊の最裏側折り片の下半部分を、折り畳み紙マッチのように２個の横方向折れ線に沿う三つ折りハードカバーの裏カバー部分に貼り付け、前記ハードカバーは、前記短冊の半部分の輪郭より僅かに大きい外形輪郭を有する前記裏カバー部分と、短冊上半部分の表面の下方部分をカバーする下側表カバー部分と、この下側カバー部分の一部に下端がオーバーラップして前記短冊上半部分の上方部分をカバーする上側表カバー部分とよりなり、前記上側表カバー部分及び下側表カバー部分のうち一方の表カバー部分の遊端縁中央部に舌状突片を設け、この舌状突片を前記他方の表カバー部分に設けたスリットに差し込んで閉じた状態を維持できるようにしたことを特徴とする。
【考案の効果】
【０００６】
　本考案アコーディオン式折り畳みリーフレットによれば、一方の表カバー部分における舌状突片を他方の表カバー部分におけるスリットに差し込むことにより、あたかも紙マッチを閉じたような形態となって、通常ならば折り畳みリーフレットの弾力でＶ字状に開くのを確実に防止することができる。
【考案を実施するための最良の形態】
【０００７】
　本考案の好適な実施例においては、最終的に折り畳んだ状態が、名刺大の大きさになるようにする。
【０００８】
　次に図面につき、本考案の好適な実施例を説明する。
【実施例】
【０００９】
　図示の実施例の本考案カバー付きアコーディオン式折り畳みリーフレット１は、１枚のシート２を、横方向に等間隔離れた複数個の縦方向折れ線３に沿って横方向にアコーディオン式に折り畳んだ短冊Ｓを横方向中心折れ線４に沿って上半部分５を手前に下半部分６に重なり合うよう折り畳む。短冊Ｓにおける折り片の下半部分６の最裏側を、折り畳み紙マッチのように２個の横方向折れ線７，８に沿う三つ折りハードカバー９の裏カバー部分９Ａに貼り付ける。
【００１０】
　ハードカバー９は、短冊Ｓの半部分の輪郭より僅かに大きい外形輪郭を有する裏カバー部分９Ａと、短冊上半部分の表面の下方部分をカバーする下側表カバー部分９Ｂと、この下側カバー部分９Ｂの一部に下端がオーバーラップして短冊上半部分５の上方部分をカバーする上側表カバー部分９Ｃとよりなる。
【００１１】
　上側表カバー部分及び下側表カバー部分のうち一方の表カバー部分における遊端縁（図示の実施例では、上側表カバー部分９Ｃの遊端縁）の中央部に舌状突片１０を設ける。この舌状突片１０を他方の表カバー部分（図示の実施例では下側カバー部分９Ｂ）に設けたスリット１１に差し込んで閉じた状態を維持できるようにする。この差し込んで閉じた状態を図２に示す。
【００１２】
　カバー付きアコーディオン式折り畳みリーフレット１は、最終的に折り畳んだ状態が、例えば、名刺大の大きさになるものとする。
【００１３】
　本考案によれば、舌状突片１０をスリット１１から引き抜かない限り、折り畳んだ短冊ＳはＶ字状に広がることはない。
【産業上の利用可能性】
【００１４】
　本考案によれば、種々のイベント、キャンペーンのマップ又はスケジュールを印刷し、カバーにスポンサーの広告を印刷し、リーフがしわになるのを保護しつつ、しゃれた紙マッチ風の感覚でコンパクトに畳んで、ポケットやバッグに入れておくことができる。印刷業界、紙クラフト業界、イベント業界の振興につながる。
【図面の簡単な説明】
【００１５】
【図１】本考案によるカバー付きアコーディオン式折り畳みリーフレットの実施例の展開斜視図である。
【図２】図１のリーフレットを畳んで、カバーを閉じた状態を示す斜視図である。
【符号の説明】
【００１６】
　１　カバー付きアコーディオン式折り畳みリーフレット
　２　シート
　３　縦方向折れ線
　４　横方向中心折れ線（シート）
　５　上半部分
　６　下半部分
　７　横方向折れ線（カバー）
　８　横方向折れ線（カバー）
　９　ハードカバー
９Ａ　裏カバー部分
９Ｂ　下側表カバー部分
９Ｃ　上側表カバー部分
１０　舌状突片
１１　スリット
【図１】
0003100356.tif 000003
【図２】
0003100356.tif 000004